(57)【要約】【課題】表示画面を視認することができない場合であっても、デジタル放送の内容を認識することができるデジタル放送受信装置を提供する。【解決手段】制御部１１は、筐体が閉じられたことを検出すると、それに応じて、通常音声信号が再生される主音声から、解説用音声信号が再生される副音声へ切り換える。【選択図】図２
2006333351.tif 000002
【特許請求の範囲】
【請求項１】
デジタル放送受信装置の開状態または閉状態のいずれかの状態を検出する検出手段と、
第１音声と、番組の解説用の第２音声とを含むデジタル放送を受信する受信手段と、
前記デジタル放送の音声を再生する再生手段と、
前記検出手段が閉状態を検出したことを条件として、デジタル放送を前記第２音声で再生するように制御する制御手段と、
を備えるデジタル放送受信装置。
【請求項２】
前記制御手段は、前記検出手段が閉状態から開状態への変化を検出したことを条件として、デジタル放送を前記第１音声で再生する
請求項１記載のデジタル放送受信装置。
【請求項３】
前記制御手段は、前記受信手段が受信するデータ信号に基づいて、前記第２音声が存在するか否かを判別することを特徴とする
請求項１または２記載のデジタル放送受信装置。
【請求項４】
前記制御手段は、前記第２音声が存在すると判定した場合に限り、前記検出手段が閉状態を検出したことを条件として、デジタル放送を第２音声で再生することを特徴とする
請求項３記載のデジタル放送受信装置。
【発明の詳細な説明】
【技術分野】
【０００１】
本発明は、デジタル放送を受信可能なデジタル放送受信装置、特に、携帯して持ち運び可能なデジタル放送受信装置に関する。
【背景技術】
【０００２】
近年、携帯電話機にテレビチューナを内蔵する技術が知られている（例えば、特許文献
１参照）。また、地上波デジタル放送では、主に携帯性の高い小型受信機向けに、１または３セグメントの伝送帯域を使用した放送が予定されている。
【０００３】
このようなデジタル放送受信装置としての携帯電話機がたとえば折り畳み式の携帯電話機である場合には、通常、筐体を広げることで、メイン表示画面を露出させた状態で（すなわち開状態で）デジタル放送の番組の映像をそのメイン表示画面に再生することが一般的である。
【０００４】
【特許文献１】特開２００２−９９２０号公報
【発明の開示】
【発明が解決しようとする課題】
【０００５】
しかしながら、ユーザの状況によっては、携帯電話機を開状態にしてメイン表示画面を注視し続けることが出来ない場合がある。たとえば、ユーザが駅のホームにてデジタル放送を視聴中に電車が到着したために、満員の電車に乗り込まなければならない場合や、ユーザが視聴中に別の場所に移動しなければならない場合、などである。
かかる場合、ユーザは画面を注視することができないため、イヤホンを携帯電話機に装着し、そのイヤホンを介してデジタル放送の音声だけを聴くことになるが、単なる音声のみでは、デジタル放送による情報量は半減し、番組内容の理解が困難になるという問題がある。
【０００６】
本発明は上記した点に鑑みてなされたものであって、その目的とするところは、表示画面を視認することができない場合であっても、デジタル放送の内容を認識することができるデジタル放送受信装置を提供することにある。
【課題を解決するための手段】
【０００７】
上記課題を克服するために、本発明は、デジタル放送受信装置の開状態または閉状態のいずれかの状態を検出する検出手段と、第１音声と、番組の解説用の第２音声とを含むデジタル放送を受信する受信手段と、前記デジタル放送の音声を再生する再生手段と、前記検出手段が閉状態を検出したことを条件として、デジタル放送を前記第２音声で再生するように制御する制御手段と、を備えるデジタル放送受信装置である。
【０００８】
好適には、前記制御手段は、前記検出手段が閉状態から開状態への変化を検出したことを条件として、デジタル放送を前記第１音声で再生する。
【０００９】
好適には、前記制御手段は、前記受信手段が受信するデータ信号に基づいて、前記第２音声が存在するか否かを判別することを特徴とする。
【００１０】
好適には、前記制御手段は、前記第２音声が存在すると判定した場合に限り、前記検出手段が閉状態を検出したことを条件として、デジタル放送を第２音声で再生することを特徴とするである。
【発明の効果】
【００１１】
本発明によれば、表示画面を視認することができない場合であっても、デジタル放送の内容を認識することができる。
【発明を実施するための最良の形態】
【００１２】
以下、本発明のデジタル放送受信装置をデジタル放送受信機能を有する携帯電話機を例として、添付図面に関連付けて説明する。
【００１３】
図１は、実施形態に係るデジタル放送受信機能を有する携帯電話機１の外観図である。
図示のとおり、携帯電話機１は、第１筐体１０１と第２筐体１０２とが可動機構により連結された、いわゆる折り畳み式携帯電話機である。図１（ａ）は開かれた状態（開状態）での正面図を、図１（ｂ）は閉じられた状態（閉状態）での正面図を、図１（ｃ）は開状態での側面図を、図１（ｄ）は閉状態での側面図を、それぞれ示す。
【００１４】
図２は、実施形態に係る携帯電話機１のシステム構成を図解したブロック図である。
以下、図１および図２に関連付けて、携帯電話機１の主要な構成要素について述べる。
【００１５】
無線部１３は、電波を利用した無線通信を行うために、制御部１１で処理された音声情報、電子メール等の各種データを変調して送受信アンテナ１２により図示しない基地局に送信する。
また、無線部１３は、基地局から無線信号により送信され、送受信アンテナ１２で受信した電子メールや音声情報等の各種データを復調して制御部１１に送出する。
【００１６】
メモリ１４は、通話やメール、インターネットブラウザ等のアプリケーションプログラム、メールデータ、名前および電話番号が登録されたアドレス帳の各種データなど、本実施形態の携帯電話機が有する様々なデータを記憶する。制御部１１は、たとえば、デジタル放送（１セグメント放送）受信のためのアプリケーション（デジタル放送用アプリケーション）を起動するために、メモリ１４が記憶する当該アプリケーションのプログラムがＲＡＭ領域にロードされる。
【００１７】
キー操作部１５は、複数の操作キーを含んで構成される。
図１に示すように、複数のキーは、インターネットに接続するためのウェブキー１５ａ、電子メール機能を実行するためのメールキー１５ｂ、ソフト１キー１５ｃおよびソフト２キー１５ｆ、上下左右キー１５ｄ、処理を確定させるための決定キー１５ｅ、発話するためのオフフックキー１５ｇ、クリアキー１５ｈ、終話するためのオンフックキー１５ｉ、「０」〜「９」の数字、「＊」、「＃」に対応したテンキー１５ｊからなる。
【００１８】
上下左右キー１５ｄは、上下左右の４方向の操作が可能なキーである。たとえば、上下左右キー１５ｄの上下の操作によって、デジタル放送の番組（チャンネル）をアップ／ダウンさせて選局操作を行うことができる。
【００１９】
受信アンテナ２０、チューナ１６、復調部１７、およびＴＳ分離部１８は、携帯電話機１におけるデジタル放送を受信して映像信号／音声信号／データ信号等の出力を行う。
【００２０】
受信アンテナ２０は、デジタル放送波を常時、連続的に受信し、チューナ１６は、キー操作部１５に対する操作に応じて制御部１１から指令された番組（チャンネル）を選局し、選局した番組の放送内容、すなわち、トランスポートストリーム（ＴＳ）を復調部１７に出力する。
【００２１】
復調部１７は、選局された番組のトランスポートストリーム（ＴＳ）を復調する。
なお、復調されたトランスポートストリーム（ＴＳ）にスクランブルがかかっている場合には、図示しないデスクランブラにてスクランブルの解除を行なう。すなわち、デスクランブラは、特定のデジタル放送受信装置のみが再生できることを許可する（限定受信方式の暗号化された放送を解読する）処理を行う。そして、トランスポートストリーム（ＴＳ）がスクランブル処理されている場合、制御部１１の指示のもとで動作し、スクランブル処理方式に則したデスクランブル処理を行う。
【００２２】
トランスポートストリーム（ＴＳ）は、例示的なＴＳを図３に図解したように、音声信号と、映像信号と、データ信号などがパケット単位で多重化されている。たとえば、音声信号と映像信号とはＭＰＥＧ方式で圧縮符号化されている。
【００２３】
データ信号は、たとえばＭＰＥＧ２では、ＰＳＩ（番組特定情報；Program Specification Information）の一部としてのＳＩ（Service Information）によって構成され、このＳＩにより番組名や電子番組ガイド（ＥＰＧ）などが送信される。ＳＩには、番組の名称や放送日時、放送内容など、番組に関連する情報などを含むＥＩＴ（Event Information Table）情報を有している。
【００２４】
ＥＩＴ情報内の番組に関連する情報では、各番組における音声の種別、たとえば、解説音声付の放送であるか否かの種別や、２ヶ国語放送であるか否かの種別などが指定される。したがって、このＥＩＴ情報を参照することで、たとえば、ユーザに選局されている番組が解説音声付の放送であるか否かを識別することが可能である。
【００２５】
解説音声付の放送である場合には、上記ＴＳ中、通常の音声信号（通常音声信号）と、映像信号や番組内容に対する解説用の音声信号（解説用音声信号）とが多重化されている。ここで、通常音声は、通常の音声であり、解説用音声は、映像や番組内容について詳細に説明がなされた音声である。
【００２６】
本実施形態に係る携帯電話機１では、解説音声付の放送である場合、音声出力の設定を主音声にすることで通常音声信号が再生され、副音声にすることで解説用音声信号が再生される。
【００２７】
上記トランスポートストリーム（ＴＳ）信号は、ＴＳ分離部１８にて、パケット毎に、映像信号、音声信号（音響／音声）、データ信号に分離される。
分離された映像信号は、画像処理部１９で復号されて映像として表示部２３に表示される。
分離された音声信号は、音声処理部２２で復号され、音声および／または音響としてスピーカ２４から出力される。
分離されたデータ信号は、データ処理部２１でその内容が解析され、上述したＥＩＴ情報などが制御部１１に供給される。
【００２８】
画像処理部１９は、分離された映像信号を復号し、映像信号をメインディスプレイ２３１および／またはサブディスプレイ２３２に出力する。なお、画像処理部１９は、デジタル放送の映像だけではなく、携帯電話機機能に応じた待受画面等の画像や電話番号などの情報を表示部２３に表示させることは言うまでもない。
【００２９】
音声処理部２２は、マイクロフォン（適宜マイクと略記する）２５より集音したユーザの音声に対して、フィルタリング処理や符号化処理などの所定の処理を行って音声信号を生成する。生成された音声データは、たとえば、無線部１３および送受信アンテナ１２を介して図示しない基地局へ通話のために送出される。
また、音声処理部２２は、送受信アンテナ１２および無線部１３を介して受信した音声データや、ＴＳ分離部１８により分離された音声信号を増幅して、スピーカ２４に音声を出力させる。
【００３０】
図１に示すように、携帯電話機１では、スピーカ２４は、開状態でのみ露出する第１のスピーカ２４１と、開閉状態に関わらず露出する第２のスピーカ２４２とから構成され、携帯電話機１が開状態のときには第１のスピーカ２４１から音声を出力し、携帯電話機１が閉状態のときには第２のスピーカ２４２から音声を出力する。また、図２に示すように、携帯電話機１の外部端子（ＥＸ）にイヤホン３０が装着されている場合には、音声をイヤホン３０に出力する。
【００３１】
開閉スイッチ２６は、携帯電話機１の開閉状態を検出するためのスイッチである。
開閉スイッチ２６の具体的な構成としては、様々な技術を適用することができるが、たとえば図１（ａ）に示すように、第１筐体１０１および第２筐体１０２のそれぞれに接点部を有し、閉状態（図１（ｂ））において両接点が電気的に非導通となるような構成にすることができる。または、一方の接点ブロードキャストデータが凹部のスイッチ部、他方の接点部をそのスイッチを押す凸部としてもよい。
また、携帯電話機１が閉状態で開閉スイッチ２６はオン状態（ＯＮ状態）となり、開状態で開閉スイッチ２６はオフ状態（ＯＦＦ状態）となるように構成する。
【００３２】
制御部１１は、マイクロコンピュータを主体として構成され、携帯電話機１の全体の制御を行う。たとえば、制御部１１は、無線部１３における各種情報の無線による送受信の制御、デジタル放送の受信処理、音声処理部２２に対する音声情報の処理、表示部２３への情報の表示制御、キー操作部１５からの入力情報に応じた処理、メモリ１４に対するアクセス制御等を行う。
【００３３】
制御部１１は、開閉スイッチ２６の導通状態を検出することにより、携帯電話機１の開閉状態を判別し、その判別結果に応じた所定の処理を行う。
【００３４】
制御部１１は、データ処理部２１から供給されるＥＩＴ情報に基づいて、通常音声信号のみが含まれるか、または、通常音声信号と解説用音声信号の双方が含まれるかを判別し、その判別結果に応じた所定の処理を行う。
【００３５】
次に、携帯電話機１におけるデジタル放送の再生処理動作について述べる。
【００３６】
図４は、携帯電話機１の閉状態におけるデジタル放送の再生処理を示すフローチャートである。
図４において、開閉スイッチ２６がＯＦＦからＯＮ、すなわち、携帯電話機１が開状態から閉状態になったことを判別すると（ステップＳＴ１）、まず、デジタル放送用アプリケーションが動作しているか否かが判別される（ステップＳＴ２）。動作中である場合には、さらに、受信しているトランスポートストリームから抽出したＥＩＴ情報に基づいて、現在視聴中の番組が解説音声付であるか否かを判別する（ステップＳＴ３）。
解説音声付である場合には、再生中の音声種別をメモリ１４に保存しておく（ステップＳＴ４）。ステップＳＴ４における音声種別とは、現在再生中の音声が主音声または副音声のいずれかを特定するデータである。主音声では通常音声信号が再生され、副音声では解説用音声信号が再生されている。
【００３７】
そして、音声種別が副音声でない場合、すなわち主音声である場合には（ステップＳＴ５）、音声種別を副音声に切り換える（ステップＳＴ６）。
以上の動作により、携帯電話機１が開状態から閉状態に切り替わった場合には、それに応じて、再生される音声が解説用音声になるため、ユーザは、携帯電話機１を折り畳んだ後も番組内容を継続して認識することができる。
【００３８】
さらに、この時点では、携帯電話機１が閉じられ、もはや表示部２３を視認することができないので、受信したトランスポートストリームの映像信号の復号を停止するとともに（ステップＳＴ７）、表示部２３の表示を停止する（ステップＳＴ８）。これにより、消費電力が低減され、バッテリ寿命が延びる。
【００３９】
図５は、携帯電話機１の開状態におけるデジタル放送の再生処理を示すフローチャートである。
図５において、開閉スイッチ２６がＯＮからＯＦＦ、すなわち、携帯電話機１が閉状態から開状態になったことを判別すると（ステップＳＴ９）、まず、デジタル放送用アプリケーションが動作しているか否かが判別される（ステップＳＴ１０）。動作中である場合には、さらに、受信しているトランスポートストリームから抽出したＥＩＴ情報に基づいて、現在視聴中の番組が解説音声付であるか否かを判別する（ステップＳＴ１１）。
解説音声付である場合には、前述のステップＳＴ４でメモリ１４に保存した前回開状態のときの再生していた音声種別を、メモリ１４から読み出す（ステップＳＴ１２）。
【００４０】
そして、メモリ１４から読み出した種別が通常音声（主音声）であって、現在の音声種別が主音声でない場合、すなわち副音声である場合には（ステップＳＴ１３）、再生する音声種別を主音声に切り換える（ステップＳＴ１４）。さらに、受信したトランスポートストリームの映像信号の復号を再開するとともに（ステップＳＴ１５）、表示部２３の表示を開始する（ステップＳＴ１６）。
以上の動作により、携帯電話機１が閉状態から開状態に切り替わった場合には、それに応じて、再生される音声が通常音声になるため、ユーザは、携帯電話機１を開けた後には、通常音声（主音声）に自動的に切り替わって番組内容を継続して認識することができる。
【００４１】
以上説明したように、本実施形態に係る携帯電話機１によれば、筐体の開閉動作に応じて、通常音声信号が再生される主音声と、解説用音声信号が再生される副音声とを適応的に切り換える。したがって、表示部２３によってデジタル放送を視聴中のユーザが携帯電話機１を閉じなければならない状況になったとしても、解説用音声によって番組内容を把握し続けることが可能になる。さらに、その後、携帯電話機１を開けると（閉状態から開状態への変化を検出すると）、通常音声による再生により番組内容を継続して把握できる。
【００４２】
また、ユーザの選択により、解説用音声による視聴を望む場合には、携帯電話機１を閉じることで、表示部２３の表示動作および映像信号の復号処理を停止するので、消費電力が低減でき、結果として、視聴時間（受信することの出来る時間）を延長させることができる。さらに、解説用音声により聞いているときでは、ユーザは表示部２３を注視する必要がないので、特にユーザが移動中の場合には、前方不注意等の不慮の事故を回避し得る。
【００４３】
なお、上述した実施形態は、本発明の一例に過ぎず、当業者であれば本発明の要旨を変更しない範囲で適宜改変し得るものである。
【図面の簡単な説明】
【００４４】
【図１】実施形態に係る携帯電話機の外観形状の一例を示す図である。
【図２】実施形態に係る携帯電話機のシステム構成の一例を示す図である
【図３】ＴＳ（トランスポートストリーム）の構成の一例を示す図である。
【図４】実施形態に係る携帯電話機の閉状態における再生動作を示すフローチャートである。
【図５】実施形態に係る携帯電話機の開状態における再生動作を示すフローチャートである。
【符号の説明】
【００４５】
１…携帯電話機
１１…制御部
１２，２０…送受信アンテナ
１３…無線部
１４…メモリ
１５…キー操作部
１６…チューナ
１７…復調部
１８…ＴＳ分離部
１９…画像処理部
２１…データ処理部
２２…音声処理部
２３…表示部
２４…スピーカ
２５…マイクロフォン
２６…開閉スイッチ
３０…イヤホン
【図１】
2006333351.tif 000003
【図２】
2006333351.tif 000004
【図３】
2006333351.tif 000005
【図４】
2006333351.tif 000006
【図５】
2006333351.tif 000007